(57)【要約】【課題】複数の光学系を有する撮像装置において、動作状態を容易に認識可能とする。【解決手段】第１撮像光学系と第２撮像光学系を有する。２つの光学系を同時に動作させた場合、ＬＣＤにそれぞれの光学系で撮影された画像１４Ａ，１４Ｂを並列的に表示するとともに、インジケータ２２をＬＣＤに同時に表示する。ＬＣＤ２２は光学系の動作状態を示し、かつ、各光学系におけるズーム位置２２ａを示す。【選択図】図１２
2008035348.tif 000002
【特許請求の範囲】
【請求項１】
第１撮像光学系と、
前記第１撮像光学系と画角の異なる第２撮像光学系と、
を備える複数光学系を有する撮像装置であって、
前記第１撮像光学系は変倍用の第１ズームレンズを有し、
前記第２撮像光学系は変倍用の第２ズームレンズを有し、
前記第１ズームレンズと前記第２ズームレンズは複数の駆動モードを有し、各駆動モードに応じた形態で前記第１ズームレンズあるいは前記第２ズームレンズの少なくともいずれかのズーム位置を示すインジケータを表示する表示制御手段と、
を有することを特徴とする複数光学系を有する撮像装置。
【請求項２】
請求項１記載の装置において、
前記複数の駆動モードは、前記第１ズームレンズと前記第２ズームレンズが連動して駆動される連動モードと、前記第１レンズと前記第２レンズが個別に駆動される個別モードを含むことを特徴とする複数光学系を有する撮像装置。
【請求項３】
請求項２記載の装置において、
前記表示制御手段は、前記インジケータとともに前記第１ズームレンズ及び前記第２ズームレンズの撮影画像を同時に表示する
ことを特徴とする複数光学系を有する撮像装置。
【請求項４】
請求項２記載の装置において、
前記複数の駆動モードは、ユーザにより指定された変倍率に応じて前記第１ズームレンズと第２ズームレンズが順次駆動されるモードと、前記第１ズームレンズと前記第２ズームレンズが同時に駆動される同時駆動モードと、前記第１ズームレンズと前記第２ズームレンズが個別に駆動される個別駆動モードを含むことを特徴とする複数光学系を有する撮像装置。
【請求項５】
請求項２記載の装置において、
前記インジケータは、前記連動モードの場合に前記第１ズームレンズ及び前記第２ズームレンズの連動状態を示すことを特徴とする複数光学系を有する撮像装置。
【請求項６】
請求項２記載の装置において、
前記インジケータは、前記連動モードの場合に前記第１ズームレンズ及び前記第２ズームレンズのズーム位置を示すことを特徴とする複数光学系を有する撮像装置。
【請求項７】
請求項２、４のいずれかに記載の装置において、
前記インジケータは、前記個別駆動モードの場合に個別駆動されるズームレンズのズーム位置を示すことを特徴とする複数光学系を有する撮像装置。
【請求項８】
第１撮像光学系と、
前記第１撮像光学系と画角の異なる第２撮像光学系と、
を備える複数光学系を有する撮像装置であって、
前記第１撮像光学系は変倍用の第１ズームレンズを有し、
前記第２撮像光学系は変倍用の第２ズームレンズを有し、
前記第１ズームレンズ及び前記第２ズームレンズの各撮影画像とともに、各ズーム位置を示すインジケータを表示する表示制御手段と、
を有することを特徴とする複数光学系を有する撮像装置。
【請求項９】
請求項８記載の装置において、
前記第１ズームレンズ及び前記第２ズームレンズは、同時に駆動することを特徴とする複数光学系を有する撮像装置。
【請求項１０】
請求項８記載の装置において、
前記第１ズームレンズ及び前記第２ズームレンズは、個別に駆動することを特徴とする複数光学系を有する撮像装置。
【発明の詳細な説明】
【技術分野】
【０００１】
本発明は複数光学系を有する撮像装置に関し、特に複数光学系の動作状態の表示制御に関する。
【背景技術】
【０００２】
複数のカメラで撮影した画像を並列表示し、あるいは複数のカメラの任意のカメラの画像のみを表示装置に拡大表示することは、監視システム等においてよく用いられている。一方、単一のカメラ筐体に複数の撮像光学系を備えたカメラが提案されており、このようなカメラにおいてはそれぞれの撮像光学系で撮影された画像をどのようにＬＣＤに表示するかが問題となる。複数の撮像光学系を第１撮像光学系と第２撮像光学系とし、第１撮像光学系が相対的に広角（ワイド）の光学系、第２撮像光学系が相対的に狭角（テレ）の光学系であるとし、第１撮像光学系及び第２撮像光学系で同一の被写体を撮影する場合、全体画像と一部拡大画像が得られることになり、これらをどのように表示するかが課題となる。
【０００３】
下記の特許文献には、全体画像と拡大画像とを同時に表示部に表示するデジタルカメラが開示されている。
【０００４】
【特許文献１】特開２０００−７８４４５号公報
【発明の開示】
【発明が解決しようとする課題】
【０００５】
デジタルカメラが複数光学系を有する場合、ユーザによっては単に全体画像と拡大画像を同時に表示するのみならず、全体画像のみ、あるいは拡大画像のみの表示を希望する場合がある。また、第１撮像光学系のみを駆動して撮影する、第２撮像光学系のみを駆動して撮影する、さらには第１撮像光学系と第２撮像光学系を同時に駆動して撮影する等の多様な形態が存在し得、ユーザがこれらの多様な動作形態を容易に視認し、かつ容易に選択できることが望まれる。
【０００６】
本発明の目的は、光学系の動作状態を容易に視認することが可能な複数光学系を有する撮像装置を提供することにある。
【課題を解決するための手段】
【０００７】
本発明は、第１撮像光学系と、前記第１撮像光学系と画角の異なる第２撮像光学系とを備える複数光学系を有する撮像装置であって、前記第１撮像光学系は変倍用の第１ズームレンズを有し、前記第２撮像光学系は変倍用の第２ズームレンズを有し、前記第１ズームレンズと前記第２ズームレンズは複数の駆動モードを有し、各駆動モードに応じた形態で前記第１ズームレンズあるいは前記第２ズームレンズの少なくともいずれかのズーム位置を示すインジケータを表示する表示制御手段とを有することを特徴とする。
【０００８】
本発明の１つの実施形態において、前記複数の駆動モードは、前記第１ズームレンズと前記第２ズームレンズが連動して駆動される連動モードと、前記第１レンズと前記第２レンズが個別に駆動される個別モードを含む。前記インジケータは、前記連動モードの場合に前記第１ズームレンズ及び前記第２ズームレンズの連動状態を示す。また、前記インジケータは、前記連動モードの場合に前記第１ズームレンズ及び前記第２ズームレンズのズーム位置を示す。
【発明の効果】
【０００９】
本発明によれば、インジケータにより光学系の動作状態を容易に視認することができ、操作性を向上できる。
【発明を実施するための最良の形態】
【００１０】
以下、図面に基づき本発明の実施形態について説明する。
【００１１】
図１に、本実施形態におけるデジタルカメラの構成ブロック図を示す。第１撮像光学系１００及び第２撮像光学系２００の２つの光学系を有するデジタルカメラである。
【００１２】
第１撮像光学系１００は、第１ズームレンズ（あるいは第１ズームレンズ群）１０２、第１フォーカスレンズ（あるいは第１フォーカスレンズ群）１０４、第１絞り・シャッタ１０６、第１イメージセンサ１０８を有する。第１ズームレンズ１０２及び第１フォーカスレンズ１０４により被写体像を第１イメージセンサ１０８に結像する。撮像制御回路１１０は、第１イメージセンサ１０８の駆動制御を行うとともに、第１イメージセンサ１０８からの画像信号をアナログ／デジタル変換して中央制御回路３００に送る。第１ズームレンズ１０２はズーム制御モータ１１２により光軸方向に駆動され、第１フォーカスレンズ１０４はフォーカス制御モータ１１４により光軸方向に駆動され、第１絞り・シャッタ１０６は絞り／シャッタ制御モータ１１６により駆動される。これらのモータ１１２、１１４、１１６はモータ制御回路３３０により制御される。第１撮像光学系は、例えば３５ｍｍフィルム換算で３９ｍｍ−１１７ｍｍの焦点距離範囲のズームレンズを有することができる。第１イメージセンサ１０８はＣＣＤやＣＭＯＳで構成され、被写体像を画像信号（第１画像信号）に変換して出力する。
【００１３】
第２撮像光学系２００は、第２ズームレンズ（あるいは第２ズームレンズ群）２０２、第２フォーカスレンズ（あるいは第２フォーカスレンズ群）２０４、第２絞り・シャッタ２０６、第２イメージセンサ２０８を有する。第２ズームレンズ２０２及び第２フォーカスレンズ２０４により被写体像を第２イメージセンサ２０８に結像する。撮像制御回路２１０は、第２イメージセンサ２０８の駆動制御を行うとともに、第２イメージセンサ２０８からの画像信号をアナログ／デジタル変換して中央制御回路３００に送る。第２ズームレンズ２０２はズーム制御モータ２１６により光軸方向に駆動され、第２フォーカスレンズ２０４はフォーカス制御モータ２１４により光軸方向に駆動され、第２絞り・シャッタ２０６は絞り／シャッタ制御モータ２１２により駆動される。これらのモータ２１２、２１４、２１６はモータ制御回路３３０により制御される。第２撮像光学系は、例えば３５ｍｍフィルム換算で１３０ｍｍ−３９０ｍｍの焦点距離範囲のズームレンズを有することができる。第２イメージセンサ２０８はＣＣＤやＣＭＯＳで構成され、被写体像を画像信号（第２画像信号）に変換して出力する。第１イメージセンサ１０８と第２イメージセンサ２０８は同一画素数でもよく異なる画素数でもよい。
【００１４】
中央制御回路（ＣＰＵ）３００は、第１撮像光学系１００からの第１画像信号及び第２撮像光学系２００からの第２画像信号を入力し、輝度信号と色信号の分離、エッジ処理、γ補正、ホワイトバランス調整、ＪＰＥＧ圧縮処理等の各種画像処理を実行し、ＬＣＤ等の表示回路３１０に出力し、あるいはフラッシュメモリ等の記憶回路３２０に出力する。中央制御回路３００は、第１画像信号と第２画像信号のいずれか、あるいは第１画像信号と第２画像信号の両方を処理して表示回路３１０あるいは記憶装置３２０に出力するが、中央制御回路３００の動作はボタン操作回路３４０からの指示信号により決定される。ボタン操作回路３４０はユーザ操作可能な複数のボタンから構成され、ユーザは第１撮像光学系１００と第２撮像光学系２００のいずれを動作状態とするかを選択する。中央制御回路３００は、選択された撮像光学系からの画像信号を処理して表示回路３１０あるいは記憶回路３２０に出力するが、同時に、第１撮像光学系１００と第２撮像光学系２００の動作状態を示すインジケータを作成して表示回路３２０に表示する。インジケータは撮影画像とともに表示回路３１０に表示され、ユーザはインジケータを視認することで、第１撮像光学系と第２撮像光学系の動作状態、より具体的には第１撮像光学系と第２撮像光学系のいずれが動作状態となっているか、それぞれのズーム位置はどこか、及び第１撮像光学系と第２撮像光学系の連動状況を視認することができる。インジケータの具体的態様については後述する。
【００１５】
図２に、デジタルカメラの背面図を示す。デジタルカメラの上面には電源ボタン１０及びレリーズボタン１２が設けられ、背面にはＬＣＤ１４、ズームボタン１６、レビューボタン１８が設けられる。ズームボタン１６は広角側（ワイド）に設定する場合に操作するワイドボタン及び狭角側（テレ）に設定する場合に操作するテレボタンを有する。レビューボタン１８は撮影画像をＬＣＤ１４に表示する際に操作するボタンである。これらのボタンに加え、デジタルカメラの背面には４方向の操作と「ＯＫ」操作が可能な４ウェイキー２０が設けられる。４ウェイキー２０は、図１におけるボタン操作回路３４０の一つであって、ズームモードの設定、メニュー表示、ストロボ設定、接写モード設定の４つの設定が可能であり、特にズームモードの設定では、以下のいずれかを選択して設定する。
【００１６】
（１）第１撮像光学系及び第２撮像光学系をあたかも１つの撮像光学系であるかの如く駆動する連動モード（以下、基本駆動モードと称する）
第１撮像光学系と第２撮像光学系が順次駆動されるモードであり、第１撮像光学系がテレ端に到達した時点で第１撮像光学系から第２撮像光学系に自動的に切り替わるモードである。ＬＣＤ１４には駆動される光学系で得られる画像が表示される。
【００１７】
（２）第１撮像光学系と第２撮像光学系を同時に駆動する同時モード
ＬＣＤ１４に両方の光学系で得られる画像が表示されるモードである。
【００１８】
（３）第１撮像光学系と第２撮像光学系のいずれかを個別に駆動する個別モード
ＬＣＤ１４に両方の光学系で得られる画像が表示されるモードであり、いずれかを個別に（他の光学系と連動することなく）駆動できるモードである。
【００１９】
中央制御回路３００は、４ウェイキー２０で選択されたモードで画像信号を処理するとともに、各モードに応じたインジケータを作成して表示回路３１０、すなわちＬＣＤ１４に表示する。
【００２０】
図３に、本実施形態の全体処理フローチャートを示す。中央制御回路３００はボタン操作回路３４０のボタン状態を取得し（Ｓ１００）、ボタン状態を判別して処理を切り替える（Ｓ２００）。すなわち、ボタンが新たに操作されていなければ現在の設定における画像を表示する（Ｓ５００）。一方、ボタンが操作され、操作されたボタンが４ウェイキー２０のズームモード切替である場合には、ズームモードの切替処理に移行する（Ｓ３００）。この処理では、上記の連動モード、同時モード、個別モードのいずれかを選択的に設定する。また、操作されたボタンが４ウェイキー２０のＯＫボタンである場合には、個別／同時撮影切替処理に移行する（Ｓ４００）。この処理では、個別モードあるいは同時モードにおいてＬＣＤ１４に表示される２つの画面を同時に撮影するか、あるいは個別に撮影するかを選択的に設定する。操作されたボタンがズームボタン１６である場合には、第１撮像光学系１００の第１ズームレンズ１０２あるいは第２撮像光学系２００の第２ズームレンズ２０２のいずれか、またはその両方をズームボタン１６に応じて駆動するズーム駆動処理に移行する（Ｓ６００）。操作されたボタンがレリーズボタン１２である場合、画像を撮影する処理に移行する（Ｓ７００）。操作されたボタンがレビューボタン１８である場合には、撮影画像をＬＣＤ１４に表示するレビュー処理に移行する（Ｓ８００）。操作されたボタンが電源ボタン１０である場合には、電源のＯＮ／ＯＦＦ処理に移行する（Ｓ９００）。
【００２１】
図４に、図３におけるズーム駆動切替処理（Ｓ３００）の詳細フローチャートを示す。ズーム駆動モードは４ウェイキー２０の上側のキー（ｚｏｏｍ）を押し下げ操作することにより切り替わる。駆動モードは押し下げ操作する毎に、基本駆動モード→同時駆動モード→個別駆動モードと巡回的に切り替わる。４ウェイキーが押し下げ操作された場合、現在の駆動状態を判別し（Ｓ３０１）、基本駆動モードである場合には、状態変数を同時駆動に設定して同時駆動モードに遷移する（Ｓ３０２）。状態変数はデータ保持用変数に格納される。同様に、駆動状態が同時駆動である場合には、状態変数を個別駆動に設定して個別駆動モードに遷移し（Ｓ３０３）、駆動状態が個別駆動である場合には、状態変数を基本駆動に設定して基本駆動モードに遷移する（Ｓ３０４）。図５にズーム駆動モードの遷移図を示す。もちろん、ズーム駆動モードの切替順序は任意に設定可能であり、基本駆動モード→個別駆動モード→同時駆動モードとしてもよい。
【００２２】
図６に、図３における個別／同時撮影切替処理（Ｓ４００）の詳細フローチャートを示す。４ウェイキー２０のＯＫボタン操作により本処理が実行される。まず、現在のズーム駆動モードが基本駆動モードであるか否かを判定する（Ｓ４０１）。基本駆動モードの場合には、第１撮像光学系と第２撮像光学系があたかも１つの光学系であるかのように順次切り替え駆動されるためＬＣＤ１４に表示される画像は１つの画像であり、常に個別撮影となる。すなわち、撮影変数は個別変数のまま維持される（Ｓ４０２）。現在のズーム駆動モードが基本駆動モードでない場合、個別駆動モードであるか否かを判定し（Ｓ４０３）、個別駆動モードである場合には撮影変数を同時撮影に設定して同時撮影を実行する（Ｓ４０４）。現在のズーム駆動モードが個別駆動モードではない場合、つまり同時駆動モードの場合には、現在撮影光学系として選択されている光学系を判定し（Ｓ４０５）、第１撮像光学系であれば第２撮像光学系に撮影変数を設定して第２撮像光学系の撮影を実行し、第２撮像光学系が選択されていれば第１撮像光学系に撮影変数を設定して第１撮像光学系の撮影を実行する（Ｓ４０６、Ｓ４０７）。
【００２３】
図７に、図３における画像表示処理（Ｓ５００）の詳細フローチャートを示す。本処理はボタン操作がない場合に実行される。まず、現在のズーム駆動モードが基本駆動モードであるか否かを判定し（Ｓ５０１）、基本駆動モードである場合には、ズームボタン１６に応じて選択されている光学系を判別する（Ｓ５０７）。第１撮像光学系が選択されていれば第１撮像光学系からの撮影データ、つまり第１画像信号を取得し（Ｓ５１０）、第２撮像光学系が選択されていれば第２撮像光学系からの撮影データ、つまり第２画像信号を取得する（Ｓ５０８）。そして、取得した画像信号を画像処理して表示回路３１０、つまりＬＣＤ１４に表示し（Ｓ５１１）、基本駆動モードに応じたインジケータを作成してＬＣＤ１４に表示する（Ｓ５１２）。
【００２４】
図１１に、Ｓ５１１で表示される画像、及びＳ５１２で表示されるインジケータの例を示す。ワイド側の第１撮像光学系１００が選択されている場合の画面例である。ＬＣＤ１４には第１画像信号による画像が表示され、ＬＣＤ１４の所定位置、例えば右上にインジケータ２２が表示される。基本駆動モードでは２つの光学系が１つの光学系であるかのように順次駆動されるため、インジケータ２２もワイド端（Ｗ）からテレ端（Ｔ）までの単一のバー表示形態とされる。バーの左半分が第１撮像光学系１００のズーム範囲、右半分が第２撮像光学系２００のズーム範囲である。現在のズーム位置２２ａが表示され、第１撮像光学系１００が選択されていることが示される。
【００２５】
再び図７に戻り、Ｓ５０１で基本駆動モードでないと判定された場合、同時駆動モードか個別駆動モードであり、いずれのモードにおいても第１撮像光学系１００と第２撮像光学系２００はともに動作するモードであるから、第１撮像光学系１００からの画像データを取得し（Ｓ５０２）、次いで第２撮像光学系２００からの画像データを取得し（Ｓ５０３）、画像処理を行ってＬＣＤ１４に表示する（Ｓ５０４）。そして、同時駆動モードである場合には（Ｓ５０５でＹＥＳ）、同時駆動モードに応じたインジケータを作成してＬＣＤ１４に表示し（Ｓ５０９）、個別駆動モードである場合には（Ｓ５０５でＮＯ）、個別駆動モードに応じたインジケータを作成してＬＣＤ１４に表示する。
【００２６】
図１２に、Ｓ５０４で表示される画像、及びＳ５０９で表示されるインジケータの例、つまり同時駆動モードにおける画面表示例を示す。ＬＣＤ１４には第１撮像光学系１００で得られるワイド画像１４Ａと第２撮像光学系２００で得られるテレ画像１４Ｂが並列的に表示される。図において、ワイド画像１４Ａは被写体である車両全体の画像、テレ画像１４Ｂは当該車両の一部拡大画像である。一方、インジケータ２２はＬＣＤ１４の右上に表示される。同時駆動であるから第１撮像光学系１００のズーム位置及び第２撮像光学系２００のズーム位置がズーム位置２２ａとして一体的に示される。一体的に示すことで、ユーザは第１ズームレンズ１０２と第２ズームレンズ２０２が同時に駆動されていること、すなわち２つのズームレンズの連動状態を容易に把握できる。第１撮像光学系１００の第１ズームレンズ１０２と第２撮像光学系２００のズームレンズ２０２は連動しており、第１ズームレンズ１０２がワイド端からテレ端に向けて移動する場合には第２ズームレンズ２０２も同様にワイド端からテレ端に向けて移動する。第１ズームレンズ１０２が第１撮像光学系１００のズーム範囲のワイド端に達すると第２ズームレンズ２０２も第２撮像光学系２００のズーム範囲のワイド端に達し、第１ズームレンズ１０２が第１撮像光学系１００のズーム範囲のテレ端に達すると第２ズームレンズ２０２も第２撮像光学系２００のズーム範囲のテレ端に達する。ユーザはインジケータ２２を視認することで、第１撮像光学系１００及び第２撮像光学系２００のズーム位置を容易に把握できる。なお、インジケータ２２の表示形態としては、図１３に示すように第１撮像光学系１００と第２撮像光学系２００を上下２段のバー表示としてそれぞれのズーム範囲を左右にずらせて表示するとともにズーム位置２２ａを示してもよく、あるいは図１４に示すように上下２段のバー表示としてそれぞれのズーム範囲を上下に揃えてズーム位置２２ａを表示してもよい。いずれの場合にも、ズーム位置２２ａは２つのズームレンズの連動状態を示している。
【００２７】
図１５に、Ｓ５０４で表示される画像、及びＳ５０６で表示されるインジケータの例、つまり個別駆動モードにおける画面表示例を示す。ＬＣＤ１４には第１撮像光学系１００で得られるワイド画像１４Ａと第２撮像光学系２００で得られるテレ画像１４Ｂが並列的に表示される。図において、第２撮像光学系２００が個別に駆動される場合であり、テレ画像１４Ｂが選択されたことを示すべくテレ画像１４Ｂの枠が太線表示あるいはハイライト表示される。また、インジケータ２２はバー表示され、個別に駆動されている第２撮像光学系２００のズーム位置２２ａが表示される。インジケータ２２の表示形態としては、図１６に示すように上下２段のバー表示としてそれぞれのズーム範囲を左右にずらせて表示するとともにズーム位置２２ａを表示してもよく、あるいは図１７に示すように上下２段のバー表示としてそれぞれのズーム範囲を上下に揃えてズーム位置２２ａを表示してもよい。
【００２８】
以上のように、ズーム駆動モードに応じてインジケータ２２の表示形態を変化させることで、ユーザは現在のズーム駆動モードを容易に認識できるとともに、ズーム位置を確実に把握することができる。
【００２９】
図８に、図３におけるズーム駆動処理（Ｓ６００）の詳細フローチャートを示す。ズームボタン１６を操作したときに実行される処理である。まず、現在のズーム駆動モードが同時駆動モードであるか否かを判定する（Ｓ６０１）。同時駆動モードである場合、ズームボタン１６の操作に応じて第１撮像光学系１００の第１ズームレンズ１０２を駆動し（Ｓ６０２）、かつ第２撮像光学系２００の第２ズームレンズ２０２を駆動する（Ｓ６０３）。第１ズームレンズ１０２は第１ズーム駆動モータ１１２で駆動され、第２ズームレンズ２０２は第２ズーム駆動モータ２１６で駆動されるが、共通の駆動モータで第１ズームレンズ１０２と第２ズームレンズ２０２を駆動してもよい。例えば、共通の駆動モータに第１のリードスクリューを連結するとともにギアを介して第２のリードスクリューを連結する。第１のリードスクリューにナットを螺合し、このナットに第１ズームレンズ１０２を接続する。また、第２のリードスクリューにナットを螺合し、このナットに第２ズームレンズ２０２を接続する。共通の駆動モータで第１リードスクリュー及び第２リードスクリューを回転駆動し、第１ズームレンズ１０２及び第２ズームレンズを駆動する。一方、同時駆動モードではない場合、つまり基本駆動モードか個別駆動モードである場合には、現在選択されている光学系を判別し（Ｓ６０４）、その光学系のズームレンズを駆動する（Ｓ６０５、Ｓ６０５）。なお、第１ズームレンズ１０２と第２ズームレンズ２０２を個別の駆動モータで駆動する場合には個別駆動は容易であるが、共通の駆動モータで駆動する場合にはクラッチ機構を設けることが好適である。第１ズームレンズ１０２のみを駆動する場合には共通の駆動モータと第２ズームレンズ２０２を接続するクラッチを解放し、第２ズームレンズ２０２のみを駆動する場合には共通の駆動モータと第１ズームレンズ１０２を接続するクラッチを解放する。
【００３０】
図９に、図３における撮影処理（Ｓ７００）の詳細フローチャートを示す。まず、ズーム駆動モードが同時駆動モードか否かを判定し（Ｓ７０１）、同時駆動モードである場合には第１撮像光学系１００の撮影処理を行い（Ｓ７０２）、次いで第２撮像光学系２００の撮影処理を行う（Ｓ７０３）。一方、同時駆動モードでない場合には、選択されている光学系を判別し（Ｓ７０４）、選択されている光学系に関して撮影処理を行う（Ｓ７０５、Ｓ７０６）。
【００３１】
図１０に、図３におけるレビュー処理（Ｓ８００）の詳細フローチャートを示す。まず、記憶回路３２０から撮影画像を読み込み（Ｓ８０１）、選択された画像の情報を解析する（Ｓ８０２）。具体的には、選択された画像に同時に撮影された画像が存在するか否かを判定する（Ｓ８０２）。同時駆動モードにおいては第１撮像光学系１００の画像と第２撮像光学系２００の２つの画像が存在し得る。図９のＳ７０２及びＳ７０３で撮影処理を行う際に、互いの画像に同時に撮影された画像が存在すること、及びその画像を特定するための情報をタグとして付加しておき、当該タグを参照することで選択された画像に同時撮影の他の画像が存在するか否かを判定できる。同時に撮影された画像が存在する場合（Ｓ８０３でＹＥＳ）、記憶回路３２０から同時撮影された画像を読み込み（Ｓ８０４）、２つの画像をＬＣＤ１４に並列的に表示する。一方、同時に撮影された画像が存在しない場合（Ｓ８０３でＮＯ）、選択された１つの画像のみをＬＣＤ１４に表示する。
【００３２】
このように、本実施形態では、ズーム駆動モードを切り替える構成とし、かつ、ズーム駆動モードのそれぞれに応じたインジケータ２２をＬＣＤ１４に表示することで、ユーザの利便性を高めることができる。また、ズーム画角範囲の異なる２つの光学系の画像をＬＣＤ１４上で同時に確認できるので、光学系の切替の判断が行いやすくなり、操作性がより向上する。
【００３３】
以上、本発明の実施形態について説明したが、本発明はこれに限定されるものではなく種々の変更が可能である。
【００３４】
例えば、ズーム駆動モードが個別駆動モードの場合、図１８に示すような画面表示としてもよい。すなわち、ワイド画面１４Ａにテレ画像１４Ｂの画角位置が太線あるいはハイライト表示される。また、同時駆動モードの場合、図１９に示すようにインジケータ２２を各撮像光学系のズーム位置２２ａを示すような表示形態としてもよく、各撮像光学系がデジタルズームを備える場合には図２０に示すように光学ズーム位置２２ａに加えてデジタルズーム位置２２ｂを表示してもよい。
【００３５】
また、本実施形態では、同時駆動モードの場合に第１ズームレンズ１０２と第２ズームレンズ２０２がともに光軸方向に沿って同一方向に移動する場合、つまり、第１ズームレンズ１０２がワイド端からテレ端に向けて移動する場合に第２ズームレンズ２０２もワイド端からテレ端に向けて移動するように構成しているが、第１ズームレンズ１０２と第２ズームレンズ２０２が光軸方向に沿って互いに逆方向に移動する場合、つまり第１ズームレンズ１０２がワイド端からテレ端に向けて移動する場合に第２ズームレンズ２０２はテレ端からワイド端に向けて移動するように構成してもよく、いずれかの構成を切替可能としてもよい。この場合、インジケータ２２の表示形態も構成の切替に応じて変化させることは言うまでもない。例えば、図２１に示す如くである。図１４と対比することで、インジケータ２２の表示形態の相違は明らかであり、ユーザは図１４と図２１とを対比することで、同一方向の駆動と互いに逆方向への駆動のいずれであるかを容易に把握できる。
【図面の簡単な説明】
【００３６】
【図１】実施形態のデジタルカメラの構成図である。
【図２】デジタルカメラの背面図である。
【図３】実施形態の全体処理フローチャートである。
【図４】ズーム駆動切替フローチャートである。
【図５】ズーム駆動モードの遷移説明図である。
【図６】個別／同時撮影切替処理フローチャートである。
【図７】画像表示処理フローチャートである。
【図８】ズーム駆動処理フローチャートである。
【図９】撮影処理フローチャートである。
【図１０】レビュー処理フローチャートである。
【図１１】基本駆動モードの画面表示説明図である。
【図１２】同時駆動モードの画面表示説明図である。
【図１３】同時駆動モードの他のインジケータ説明図である。
【図１４】同時駆動モードの他のインジケータ説明図である。
【図１５】個別駆動モードの画面表示説明図である。
【図１６】個別駆動モードの他のインジケータ説明図である。
【図１７】個別駆動モードの他のインジケータ説明図である。
【図１８】個別駆動モードの他の画面表示説明図である。
【図１９】同時駆動モードの他の画面表示説明図である。
【図２０】同時駆動モードの他のインジケータ説明図である。
【図２１】同時駆動モードの他のインジケータ説明図である。
【符号の説明】
【００３７】
１００  第１撮像光学系、１０２  第１ズームレンズ、１０４  第１フォーカスレンズ、１０８  第１イメージセンサ、２００  第２撮像光学系、２０２  第２ズームレンズ、２０４  第２フォーカスレンズ、２０８  第２イメージセンサ、３００  中央制御回路（ＣＰＵ）。
【図１】
2008035348.tif 000003
【図２】
2008035348.tif 000004
【図３】
2008035348.tif 000005
【図４】
2008035348.tif 000006
【図５】
2008035348.tif 000007
【図６】
2008035348.tif 000008
【図７】
2008035348.tif 000009
【図８】
2008035348.tif 000010
【図９】
2008035348.tif 000011
【図１０】
2008035348.tif 000012
【図１１】
2008035348.tif 000013
【図１２】
2008035348.tif 000014
【図１３】
2008035348.tif 000015
【図１４】
2008035348.tif 000016
【図１５】
2008035348.tif 000017
【図１６】
2008035348.tif 000018
【図１７】
2008035348.tif 000019
【図１８】
2008035348.tif 000020
【図１９】
2008035348.tif 000021
【図２０】
2008035348.tif 000022
【図２１】
2008035348.tif 000023